(57)【特許請求の範囲】
【請求項１】
本体部と、前記本体部と一体形成された挿入部と、前記本体部に設けられ、前記挿入部を挿入するための穴と、前記本体部とは別体として構成され、前記挿入部を挿入するための貫通穴を有する留め具と、を備えることを特徴とする紙めくり具。
【発明の詳細な説明】
【０００１】
【発明の属する技術分野】
本発明は、伝票や書籍などを指先でめくる際に使用される紙めくり具に関する。
【０００２】
【従来の技術】
伝票や書籍などの紙を指先でめくる際に、指先に装着して使用する紙めくり具が知られている。最も従来からある紙めくり具は、人差し指や親指などにかぶせて使用するゴム製の指サックである。このような指サックは、人差し指用、親指用などというように、使用する指ごとに別個に販売されているものの、そのサイズは決まっており、使用者の指のサイズや形に必ずしも適合するものではない。ゴム製の指サックは、その弾性の範囲内においてある程度は形状を使用者の指に適合させることができるが、指に対する締め付けがきつすぎて不快である、あるいは逆にゆるすぎて使用中に指から抜けてしまうなどの不具合があった。また、使用当初は比較的快適に指にフィットしていても、経時的に締め圧が変化して使いにくくなることもある。いずれにしても、使用者の指にフィットしないと、使用者が不快感を感じるだけでなく、作業効率も低下する。
【０００３】
このような観点から、使用者の指に貼り付けるタイプの紙めくり具も提案されている（登録実用新案第３０５７４４０号、実開昭５６−１５６６７１号公報、実開昭５９−９１８６９号公報など）。しかし、そのような紙めくり具はのりにより指先に貼着するように作られている。よって、のり面の状態、耐久性などにもよるが、基本的に繰り返し使用には向いていない。よって、使い捨てタイプとなるため、コスト面で非効率的である。
【０００４】
また、帯状のゴムなどを使用者の指に巻き付け、マジックテープ（登録商標）などにより使用者の指の大きさに合わせて装着するタイプの紙めくり具や（実開平１−１３１５５８号公報）、同様に使用者の指にフィットするように形状や構造を工夫したものも提案されている（実開平１−７６２６９号公報、実開昭５９−４３１７４号公報など）。
【０００５】
【発明が解決しようとする課題】
しかし、そのような種々の紙めくり具は、使用者の指にフィットさせるために多種の材料、部材により構成される傾向があるため、コストがかかる。また、構造が比較的複雑であるために、一度はずして再度装着し直さなければならないなど、装着状態の調整に時間を要す、あるいは調整作業が煩雑であるという問題がある。
【０００６】
また、従来の紙めくり具は、上述のように使用者の指への装着感などの機能面を重視して作られていることが多く、デザイン面においてあまり魅力的であるとは言えないものが多い。例えば、図１１に示すように、指サック型やリング型の紙めくり具８０にビーズなどの装飾８１を施したものもあるが、機能面と装飾面とを同時に考慮してなされたデザインでないために違和感があり、また、機能的にも却って使いにくくなる場合もある。
【０００７】
本発明は、以上の点に鑑みてなされたものであり、構成が単純で、かつ、容易に装着状態の調整が可能な紙めくり具を提供することを課題とする。
【０００８】
【課題を解決するための手段】
本発明の１つの観点によれば、本体部と、前記本体部と一体形成された挿入部と、前記本体部に設けられ、前記挿入部を挿入するための穴と、前記本体部とは別体として構成され、前記挿入部を挿入するための貫通穴を有する留め具と、を備える紙めくり具が提供される。
【０００９】
上記の紙めくり具においては、前記挿入部が前記本体部と一体形成されているので、前記挿入部を前記穴に挿入することにより前記本体部はリング形状となる。そのリング形状の内部に使用者の指を挿入し、挿入部の穴に対する挿入長さを調節してリング形状の大きさを使用者の指に合わせることにより、紙めくり具は使用者の指にフィットする。また、留め具を用いることにより、挿入部と穴との接合強度をさらに増加させることができる。さらに、必要な接合強度に応じて複数の留め具を使用することができる。
【００３４】
【発明の実施の形態】
以下、図面を参照して本発明の好適な実施の形態について説明する。
【００３５】
［第１実施形態］
図１（ａ）は本発明の第１実施形態による紙めくり具の平面図である。図示のように、紙めくり具１０は、厚さがほぼ均一な一枚のゴム材料により構成され、帯状の本体部１１と剣先状の挿入部１４とを備える。本体部１１の端部近傍には穴１２が形成されており、この穴１２に挿入部１４が挿入される。挿入部１４の先端部１５は先細り状であり、挿入部１４を穴１２に容易に挿入できるようになっている。
【００３６】
紙めくり具１０は、例えばシリコンゴム、ブチルゴム、ウレタンゴム、ＥＰＤＭ（エチレンプロピレンジェンモノマー共重合体）などの各種のゴム材料により作ることができる。
【００３７】
挿入部１４が穴１２に挿入されると、紙めくり具１０は図１（ｂ）に示すようにほぼリング状となり、その内側に使用者の指２０が配置される。即ち、装着時には、使用者は挿入部１４を穴１２にある程度挿入し、それにより形成されたリング形状の内部に指２０を挿入し、挿入部１４をさらに外側（矢印２１の方向）へ引っ張ることにより、リング形状の径を小さくして紙めくり具１０を指２０にフィットさせる。図１（ｂ）において、リング状になった紙めくり具１０に対して、使用者の指は爪が上側にくるように挿入される。即ち、紙めくり具１０の下側の内側面が使用者の指の腹側に当たり、図１（ｂ）における下面１０ａが伝票などの面に当たる。図１（ｅ）は、紙めくり具１０を使用者の指２０に装着した状態を上方から見た図である。
【００３８】
図１（ａ）に示すように、先細り形状の先端部１５を除く部分の挿入部１４の幅Ｗ１と、穴１２の径Ｄ１との関係は、穴１２の径Ｄ１が挿入部１４の幅Ｗ１と等しいか又はわずかに小さくなるように形成されている。よって、挿入部１４を穴１２に挿入すると、挿入部１４の幅の方が穴１２より多少大きいために、挿入部１４は穴１２の弾性により軽く締め付けられて留まる。つまり、図１（ｂ）に示す状態で、穴１２が挿入部１４を締め付ける力により挿入部１４は穴１２内に保持されるため、挿入部１４が穴１２から抜け落ちることはなく、紙めくりなどの使用時にも紙めくり具１０はある程度の強度で使用者の指に保持される。これにより、１枚のゴム部材のみによっても使用者の指にフィットし、かつ、使用時に外れない紙めくり具が提供される。
【００３９】
紙めくりなどの使用時に比較的ハードな使用が想定され、さらに高い強度で使用者の指に固定することが要求される場合には、図１（ｃ）に示すように、留め具３０を併用することができる。様々な形状の留め具３０の例を図２に示す。図２（ａ）〜（ｄ）に示す各留め具３０ａ〜３０ｄは、それぞれ１つの貫通穴３１を有する。また、図２（ｅ）に示す留め具３０ｅは２つの貫通穴３１を有する。なお、留め具３０ｅについては、さらに後述する。留め具３０は、プラスチック、金属、ゴムなどの適度な硬度を有する材料により作ることができる。留め具３０の外形は、紙めくり具を留めるという機能的な面のみならず、装飾的な面も考慮して様々な形状とすることができる。また、留め具３０に様々な着色を施すこともできる。
【００４０】
貫通穴３１の内部に紙めくり具１０の挿入部１４が挿入される。留め具３０は、その貫通穴３１内に挿入部１４を通した状態で図１（ｃ）の矢印２２の方向に移動され、紙めくり具１０の外側面１０ｂに当たったところで留まる。
【００４１】
図３に、留め具３０を紙めくり具１０に装着する様子を示す。図３（ａ）は留め具３０が紙めくり具１０に装着された状態を示す。図３（ｂ）に示すように、留め具３０に形成された貫通穴３１の径Ｄ２は、挿入部１４の幅Ｗ１と等しいか又は幅Ｗ１より少し小さい。これにより、挿入部１４は貫通穴３１内で適当な摩擦をもって保持される。
【００４２】
留め具３０を装着する際には、まず紙めくり具１０の挿入部１４の先端部１５に留め具３０を挿入し（ステップ１）、留め具３０を紙めくり具１０の本体部１１方向へ移動させる。この際、紙めくり具１０はゴム製であるので、挿入部１４を先端部１５の方向へ引っ張ると挿入部１４自体が伸びて細くなる。よって、挿入部１４を適当に引っ張ることにより、挿入部１４の幅を一時的に細くして、留め具３０を本体部１１の方へ容易に移動させることができる（ステップ２）。留め具３０を移動させた後、引っ張っていた挿入部１４を開放すると、挿入部１４の幅はもとに戻り、留め具３０はその位置で挿入部１４に対してある程度の保持力で固定される（ステップ３）。挿入部１４の幅は貫通穴３１の径と等しいか又はそれより多少大きいので、ゴム製の挿入部１４はその弾性により留め具３０の貫通穴３１内で保持され、留め具３０は挿入部１４の所定位置にしっかりと固定される。留め具３０の位置を移動する際には、先ほど述べたのと同様に挿入部１４を一旦先端部１５方向に引っ張って挿入部１４を一時的に細くすれば、留め具３０を所望の位置に容易に移動させることができる。よって、使用者は一度紙めくり具１０を装着した後でも、簡単に装着状態を微調整することができる。もちろん、装着状態の調整のために紙めくり具１０を装着し直す必要はない。
【００４３】
また、図１（ｄ）に示すように、留め具３０を複数取り付ければ、紙めくり具１０を使用者の指に固定する強度をさらに増加させることができ、さらにハードな使用にも耐えられるようになる。図４は留め具３０を利用して、紙めくり具１０の強度を増加させる方法を示している。留め具３０の数を増やすことにより紙めくり具１０を使用者の指に固定する強度を増加させることができる。また、図４の最も左に示すように、留め具３０を穴１２の両側に取り付け、本体部１１の穴１２の付近を両側から挟むように留めることにより、さらに紙めくり具１０を使用者の指に固定する強度を増すことができる。
【００４４】
以上のように、本発明の紙めくり具は、１枚のゴム部材のみ、又は、それと留め具との組み合わせにより構成されるので、単純な構成であり、低コストで製造することができる。また、挿入部１４を穴１２に挿入する長さを変えることにより、使用者の指を通すリング形状の径を自由に調整することができるので、使用者の指のサイズに応じて微調整が可能である。よって、使用者の装着感も良好であり、作業効率も増す。また、比較的幅広の本体部１１が使用者の指に巻き付くので、装着時に使用者の指を局部的に強く圧迫しなくてすむ。さらに、使用者の指に合わせてリング形状を調整する際には、挿入部１４に対する穴１２の位置を変えるだけでよいので、紙めくり具自体を再度装着し直したりする必要もなく、容易に調整を行うことができる。
【００４５】
なお、図５（ａ）に示すように、挿入部１４に複数の段状のフランジ１６を形成することができる。こうすると、図５（ｂ）及び（ｃ）に示すように、挿入部１４と穴１２との接合部においては穴１２がフランジ１６の間に入り込むことにより、穴１２が挿入部１４の長さ方向にずれることが防止される。
【００４６】
また、図６に示すように、穴１２を紙めくり具１２の長さ方向及び幅方向に複数個並列に設けることができる。こうすると、使用者は紙めくり具１２の長さ方向のどの部分を使用するかを調整することができる。即ち、使用者が挿入部１４を図６における最も左側の穴１２Ｌに挿入した場合は、図中のＡで示される部分が使用者の指に巻き付くことになり、使用者が挿入部１４を中央の列の３つの穴１２Ｃのいずれかに挿入した場合は図中のＢで示される部分が使用者の指に巻き付く。また、使用者が挿入部１４を最も右側の列の３つの穴１２Ｒのいずれかに挿入した場合は、図中のＣで示される部分が使用者の指に巻き付く。図中のＡの部分は挿入部１４が少ないので使用者の指のほとんどの部分は幅広の本体部１１に包まれることになる。一方、図中のＣの部分は挿入部１４を多く含み、幅の細い挿入部１４がより多く使用者の指に当たることになる。よって、使用者は、自分の指の太さや装着感などに応じて、好みの穴１２を選択して紙めくり具１０を装着することができる。
【００４７】
［第２実施形態］
本発明の第２実施形態による紙めくり具を図７に示す。第２実施形態の紙めくり具は、帯状部材４０と留め具３０ｅとの組み合わせにより構成される。帯状部材４０は第１実施形態の紙めくり具１０と同様にゴム材料により作られ、幅広の本体部４１と、その両端に形成された一組の挿入部４２とを備える。なお、挿入部４２の先端は、第１実施形態のように先細り状とすることもできる。
【００４８】
一方、留め具３０ｅは図２（ａ）に示したものと同様であり、２つの貫通穴３１を備える。図７（ｂ）に示すように、留め具３０ｅの２つの貫通穴３１には、帯状部材４０の２つの挿入部４２がそれぞれ挿入される。留め具３０ｅの貫通穴３１の径は、帯状部材４０の挿入部４２の幅と等しいか、少し小さく、よって、ゴム製の挿入部４２はその弾性により留め具３０ｅの貫通穴３１内で留まる。挿入部４２に対する留め具３０ｅの移動は、図３（ｂ）を参照して説明したのと同様の方法により行われる。即ち、挿入部４２のその先端方向へ引っ張って挿入部４２を一時的に細くした状態で留め具３０を所望の位置まで移動させればよい。また、留め具３０ｅにより帯状部材４０を止める強度を増したい場合には、図７（ｃ）に示すように、さらに第１実施形態と同様の１つ穴の留め具３０をそれぞれの挿入部４２に個別に装着すればよい。
【００４９】
［第３実施形態］
次に、本発明の第３実施形態による紙めくり具を図８に示す。第３実施形態の紙めくり具５０は、帯状の本体部５１と、挿入部５２と、留め部５３とを有する。留め部５３には、その長さ方向に複数の穴５４が形成されている。なお、留め部５３は、第１実施形態のようにその先端部を先細り状とすることもできる。また、本実施形態の紙めくり具５０も、第１実施形態と同様に各種のゴム材料により作られる。
【００５０】
留め部５３に形成された複数の穴５４の径は、挿入部５２の幅と等しいか、又はそれより僅かに小さい。よって、挿入部５２を１つの穴５４に通しただけでもある程度の保持力で紙めくり具５０が使用者の指に保持される。さらに、本実施形態では、挿入部５２を複数の穴５４に通して挿入部５２により留め部５３を串刺し状とすることにより、より強い保持力を得ることができる。挿入部に対する留め部５３の移動は、第１及び第２実施形態と同様に、挿入部５２を先端方向へ引っ張って一時的に細くした状態とすれば容易に行うことができる。なお、本実施形態においても、必要に応じて図２に示すような留め具３０を使用することができる。
【００５１】
［第４実施形態］
次に、本発明の第４実施形態による紙めくり具を図９（ａ）に示す。第４実施形態の紙めくり具６０は、帯状の本体部６１と、本体部６１より幅が小さい挿入部６２と、挿入部６２が挿入される２つの穴６３とを備える。紙めくり具６０は第１実施形態などと同様に各種のゴム材料により作られる。
【００５２】
挿入部６２の幅は、穴６３の長さ方向の幅と等しいか、それより若干大きい。装着時には、図９（ｂ）に示すように、挿入部６２を２つの穴６３に順に通す。挿入部６２の幅が穴６３の幅と等しいか、若干大きいので、挿入部６２は穴６３の内部にフィットして保持される。
【００５３】
また、挿入部６２を穴６３に通した接合部の保持力を増加させるために、図９（ｃ）に示すように、挿入部６２の片側面、及びそれと対向する本体部６１の２つの穴６３の間に突起６４などの凹凸を設けることができる。この突起６４により、挿入部６２と本体部６１との摩擦力が増加し、接合部の強度が増す。なお、突起６４は、本体部６１及び挿入部６２の幅方向において複数設けることもできるし、本体部６１及び挿入部６２の幅方向に延在した長い突起とすることもできる。また、突起６４を設ける代わりに、本体部６１及び挿入部６２の各面を削るなどして摩擦係数が増加するように構成することもできる。
【００５４】
［第５実施形態］
次に、本発明の第５実施形態による紙めくり具を図１０に示す。第５実施形態の紙めくり具７０は、帯状の本体部７１と、本体部７１の一端に設けられた挿入部７２と、本体部７１上に設けられた複数の穴７３とを有する。図１０に示す紙めくり具７０は、幅方向に３つの挿入部７２を備える。また、本体部７１には、幅方向に３列にわたって複数の穴７３が形成されている。なお、本実施形態の紙めくり具７０も、第１実施形態と同様に各種のゴム材料により作られる。
【００５５】
装着時には、図示のように、各挿入部７２がそれぞれ本体部７１に形成された複数の穴７３のいずれかに挿入される。穴７３の径は挿入部７２の径と等しいか、又はそれより若干小さく形成されるので、ゴム材料の弾性により挿入部７２は穴７３内に保持される。使用者は、自分の指の大きさや形状を考慮して、適当な穴７３を選択して各挿入部７２を挿入することにより、希望する装着感を得ることができる。
【００５６】
一般的に人間の指は指先の方が細いので、図１０（ｂ）に示すように、紙めくり具７０を使用者の指に装着する際、指先側の挿入部７２を本体部７１の中央よりの穴７３に挿入し、指の根本側の挿入部７２を本体部７１の端部よりの穴７３に挿入することにより、使用者は先細り状の指にフィットするように紙めくり具７０を装着することができる。即ち、挿入部７２を挿入する穴７３の位置を選択することにより、紙めくり具７０により形成されるリング形状の大きさが変わるので、指の形状に合わせて適当な位置の穴７３を選択して各挿入部７２を挿入すればよい。
【００５７】
なお、挿入部７２は、図１０（ｃ）及び（ｄ）に示すように、２つ又は１つのみとすることもできる。こうすると、挿入部７２を本体部７１の幅方向のどの列の穴７３に挿入するかについて使用者の選択の自由度が増すので、より細かく装着感を調整することができる。例えば、図１０（ｃ）における下側の挿入部７２を、本体部７１の幅方向における最下列の穴７３に挿入するよりも、最上列の穴７３に挿入した方が装着時に紙めくり具７０の本体部７１のねじれが大きくなる。よって、使用者の指先が比較的急に細くなっているような場合は、このねじれによって、紙めくり具７０が指先の形状にさらに良く適合することになり、より高い保持力及び快適な装着感を得ることが可能となる。
【００５８】
なお、上記の例では、穴及び挿入部は３列以内であるが、それ以外の数の穴及び挿入部を設けることもできる。
【００５９】
［応用、変形など］
上述のいずれの実施形態においても、使用時に紙に当たる面に凹凸を設けたりして紙との間の摩擦を増加させるように構成することができる。
【００６０】
また、上述した各実施形態の紙めくり具は、ゴム材料からなる本体のみで使用者の指に装着できるか、又はそれと留め具との組み合わせにより使用者の指に装着できる。つまり、のりのついたテープやマジックテープ（登録商標）などの異材料、異部材を取り付ける必要がなく、表裏の区別がない。よって、指に当たる面を交換して装着すれば、本体の両面を利用することができる。
【００６１】
また、留め具の形状や色にバリエーションを設ければ、留め具により紙めくり具を識別することができる。よって、異なる形状や色の留め具を使用すれば、他人の紙めくり具との混同を防止することもできる。
【００６２】
また、図６に示す形態や、図１０に示す形態では、本体部に複数の穴が設けられているので、装着時に通気性がよくなり、ムレ防止の効果も得られる。
【００６３】
また、上記の実施形態では、紙めくり具の本体に設けられる穴及び留め具に設けられる穴は断面形状が円形の貫通穴としているが、それ以外に断面形状が多角形の貫通穴としてもよい。
【００６４】
【発明の効果】
以上説明したように、本発明の紙めくり具は、１枚のゴム部材のみ、又は、それと留め具との組み合わせにより構成されるので、単純な構成であり、低コストで製造することができる。また、挿入部を穴に挿入する長さを変えることにより、使用者の指を通すリング形状の径を自由に調整することができるので、使用者の指のサイズに応じて微調整が可能である。よって、使用者の装着感も良好であり、作業効率も増す。
【００６５】
また、使用者の指に合わせてリング形状を調整する際には、挿入部に対する穴の位置を変えるだけでよいので、紙めくり具自体を再度装着し直したりする必要もなく、容易に調整を行うことができる。
【図面の簡単な説明】
【図１】本発明の第１実施形態による紙めくり具の構成を示す図である。
【図２】本発明の紙めくり具とともに使用される留め具の例を示す図である。
【図３】本発明の紙めくり具に留め具を装着する様子を示す図である。
【図４】本発明の紙めくり具に対する留め具の取付態様を示す図である。
【図５】本発明の紙めくり具の挿入部の変形例を示す図である。
【図６】本発明の紙めくり具の変形例として複数の穴を設けた例を示す図である。
【図７】本発明の第２実施形態による紙めくり具の構成を示す図である。
【図８】本発明の第３実施形態による紙めくり具の構成を示す図である。
【図９】本発明の第４実施形態による紙めくり具の構成を示す図である。
【図１０】本発明の第５実施形態による紙めくり具の構成を示す図である。
【図１１】従来の紙めくり具の例を示す図である。
【符号の説明】
１０、４０、５０、６０、７０  紙めくり具
１２、５４、６３、７３  穴
１４、４２、５２、６２、７２  挿入部
１５  先端部
３０  留め具
３１  貫通穴
【図１】
0003901980.tif 000002
【図２】
0003901980.tif 000003
【図３】
0003901980.tif 000004
【図４】
0003901980.tif 000005
【図５】
0003901980.tif 000006
【図６】
0003901980.tif 000007
【図７】
0003901980.tif 000008
【図８】
0003901980.tif 000009
【図９】
0003901980.tif 000010
【図１０】
0003901980.tif 000011
【図１１】
0003901980.tif 000012